(57)【要約】      （修正有）【課題】構造強度及び耐震性を高めることができる原子炉建屋を提供する。【解決手段】原子炉建屋１は、原子炉格納容器２と、原子炉格納容器２の上側に配置された使用済燃料貯蔵プールとを収納する。原子炉建屋１は、原子炉格納容器２の外側に配置された円筒状の防護壁８と、防護壁８の上側に設けられたドーム状の防護屋根と、原子炉格納容器２と防護壁８を接続するように水平方向に延在すると共に、基礎スラブからトップスラブまで鉛直方向に延在する複数のスポーク壁１１Ａ〜１１Ｊとを備える。【選択図】図１
2019138724.tif 000002
【特許請求の範囲】
【請求項１】
原子炉格納容器と、前記原子炉格納容器の上側に配置された使用済燃料貯蔵プールとを収納する原子炉建屋において、
前記原子炉格納容器の外側に配置された円筒状の防護壁と、
前記防護壁の上側に接続されたドーム状の防護屋根と、
前記原子炉格納容器と前記防護壁を接続するように水平方向に延在すると共に、基礎スラブからトップスラブまで鉛直方向に延在する複数のスポーク壁とを備えたことを特徴とする原子炉建屋。
【請求項２】
請求項１に記載の原子炉建屋において、
前記複数のスポーク壁は、前記原子炉格納容器の水平方向一方側及び反対側に配置されて対をなし、上方から見て同一の直線上に配置されたスポーク壁を含むことを特徴とする原子炉建屋。
【請求項３】
請求項１又は２に記載の原子炉建屋において、
前記トップスラブの上側に配置され、水平方向に延在して両側端部が前記防護壁に接続されたプールガーダを備え、
前記複数のスポーク壁は、前記原子炉格納容器の水平方向一方側及び反対側に配置されて対をなし、上方から見て同一の直線上に且つ前記プールガーダと重なるように配置されたスポーク壁を含むことを特徴とする原子炉建屋。
【発明の詳細な説明】
【技術分野】
【０００１】
本発明は、原子炉格納容器及び使用済燃料貯蔵プールを収納する原子炉建屋に関する。
【背景技術】
【０００２】
特許文献１は、原子炉格納容器（一次格納容器）と、原子炉格納容器の上側に配置された使用済燃料貯蔵プールとを収納する原子炉建屋を開示している。この原子炉建屋は、原子炉格納容器の外側に配置された円筒状の側壁と、側壁の上側に接続された屋根と、原子炉格納容器と側壁を接続するように水平方向に延在する複数の内壁とを備えている。
【先行技術文献】
【特許文献】
【０００３】
【特許文献１】特開平１１−１７４１８９号公報
【発明の概要】
【発明が解決しようとする課題】
【０００４】
近年、航空機等の飛来物の衝突に対する原子炉建屋の耐性強化が求められている。そこで、例えば屋根及び地上側の壁部分の厚みを増すことにより、構造強度を高めることが考えられる。しかし、この場合、屋根及び地上側の壁部分の重量が増えるため、耐震性が低下する。
【０００５】
本発明の目的は、構造強度及び耐震性を高めることができる原子炉建屋を提供することにある。
【課題を解決するための手段】
【０００６】
上記目的を達成するために、本発明は、原子炉格納容器と、前記原子炉格納容器の上側に配置された使用済燃料貯蔵プールとを収納する原子炉建屋において、前記原子炉格納容器の外側に配置された円筒状の防護壁と、前記防護壁の上側に接続されたドーム状の防護屋根と、前記原子炉格納容器と前記防護壁を接続するように水平方向に延在する共に、基礎スラブからトップスラブまで鉛直方向に延在する複数のスポーク壁とを備える。
【発明の効果】
【０００７】
本発明によれば、構造強度及び耐震性を高めることができる。
【図面の簡単な説明】
【０００８】
【図１】本発明の一実施形態における原子炉建屋の構造を表す水平断面図であって、図３中断面Ｉ−Ｉによる水平断面図に相当する。
【図２】本発明の一実施形態における原子炉建屋の構造を表す水平断面図であって、図３中断面II−IIによる水平断面図に相当する。
【図３】本発明の一実施形態における原子炉建屋の構造を表す鉛直断面図であって、図１及び図２中断面III−IIIによる鉛直断面図に相当する。
【図４】本発明の一実施形態における原子炉建屋の構造を表す鉛直断面図であって、図１及び図２中断面IV−IVによる鉛直断面図に相当する。
【発明を実施するための形態】
【０００９】
本発明の一実施形態を、図面を参照しつつ説明する。
【００１０】
図１及び図２は、本実施形態における原子炉建屋の構造を表す水平断面図であり、図３及び図４は、本実施形態における原子炉建屋の構造を表す鉛直断面図である。図１は、図３中断面Ｉ−Ｉによる水平断面図に相当し、図２は、図３中断面II−IIによる水平断面図に相当する。図３は、図１及び図２中断面III−IIIによる鉛直断面図に相当し、図４は、図１及び図２中断面IV−IVによる鉛直断面図に相当する。
【００１１】
なお、図１中のハッチングは、円筒状の防護壁及びスポーク壁を識別するためのものであり、図２中のハッチングは、プールガーダを識別するためのものである。図３中のハッチングは、円筒状の防護壁、ドーム状の防護屋根、及びスポーク壁を識別するためのものであり、図４中のハッチングは、円筒状の防護壁、ドーム状の防護屋根、及びスポーク壁に加えて、プールガーダを識別するためのものである。
【００１２】
改良型沸騰水型原子炉の原子炉建屋１は、例えば鉄骨コンクリート構造であり、原子炉格納容器２、使用済燃料貯蔵プール３、及びサプレッションプール（図示せず）等を収納している。原子炉格納容器２は、基礎スラブ４からトップスラブ５にかけて構成されており、原子炉圧力容器（図示せず）を収納している。使用済燃料貯蔵プール３は、原子炉格納容器２の上側に配置され、プールガーダ６Ａ，６Ｂの間で形成されている。プールガーダ６Ａ，６Ｂの上側かつ使用済燃料貯蔵プール３の外側には、例えば燃料取替作業等を行うための運転床７が設けられている。なお、プールガーダ６Ａ，６Ｂは、トップスラブ５から立上げられ、水平方向（図２中上下方向）に直線的に延在して両側端部が後述の防護壁８（側壁）に接続されている。
【００１３】
原子炉建屋１は、原子炉格納容器２の外側に配置され、基礎スラブ４から立上げられた円筒状の防護壁８と、防護壁８の上側に接続されたドーム状（言い換えれば、球冠状）の防護屋根９（屋根）とを備えている。また、原子炉建屋１は、防護壁８の外側に配置され、基礎スラブ４から立上げられた角筒状の防護壁１０Ａと、防護壁１０Ａの外側に配置され、基礎スラブ４から立上げられた角筒状の防護壁１０Ｂとを備えている。すなわち、防護壁８は、横又は斜め上からの飛来物に対して最終障壁となっている。そのため、図示しない隔離弁等は、防護壁８の内側に配置されている。
【００１４】
原子炉建屋１は、原子炉格納容器２と防護壁８を接続するように水平方向に直線的に延在すると共に、基礎スラブ４からトップスラブ５まで鉛直方向に直線的に延在する（言い換えれば、各階の壁部分の水平位置が同じであって鉛直方向に連続している）スポーク壁１１Ａ〜１１Ｊを備えている。原子炉格納容器２と防護壁８は、スポーク壁１１Ａ〜１１Ｊと各階の床を介し接続されて一体化されている。
【００１５】
スポーク壁１１Ａ，１１Ｂは、原子炉格納容器２の水平方向一方側（図１中右側）及び反対側（図１中左側）にそれぞれ配置されて対をなしており、上方から見て同一の直線上に配置されている。スポーク壁１１Ｃ，１１Ｄは、原子炉格納容器２の水平方向一方側（図１中右上側）及び反対側（図１中左下側）にそれぞれ配置されて対をなしており、上方から見て同一の直線上に配置されている。スポーク壁１１Ｅ，１１Ｆは、原子炉格納容器２の水平方向一方側（図１中右下側）及び反対側（図１中左上側）にそれぞれ配置されて対をなしており、上方から見て同一の直線上に配置されている。
【００１６】
スポーク壁１１Ｇ，１１Ｈは、原子炉格納容器２の水平方向一方側（図１中上側）及び反対側（下側）にそれぞれ配置されて対をなしており、上方から見て同一の直線上に且つプールガーダ６Ａと重なるように配置されている。スポーク壁１１Ｉ，１１Ｊは、原子炉格納容器２の水平方向一方側（図１中上側）及び反対側（図１中下側）にそれぞれ配置されて対をなしており、上方から見て同一の直線上に且つプールガーダ６Ｂと重なるように配置されている。
【００１７】
次に、本実施形態の作用効果を説明する。
【００１８】
本実施形態の原子炉建屋１においては、防護壁８，１０Ａ，１０Ｂからなる３重構造となっている。防護壁８は円筒状に形成され、防護屋根９はドーム状に形成されているため、全方位からの飛来物に対して防護することができる。スポーク壁１１Ａ〜１１Ｊは、基礎スラブ４からトップスラブ５まで鉛直方向に延在している。そのため、例えばスポーク壁が基礎スラブ４からトップスラブ５まで延在していない場合（言い換えれば、各階の壁部分の水平位置が異なっていて鉛直方向に連続していない場合）と比べ、構造強度を高めることができる。具体的に説明すると、飛来物が防護屋根９または防護壁８の地上側部分に衝突しても、その衝撃力を防護壁８、スポーク壁１１Ａ〜１１Ｊ、及び基礎スラブ４を介して地盤に効率よく伝達することができる。
【００１９】
また、スポーク壁１１Ａ，１１Ｂは、原子炉格納容器２の水平方向一方側及び反対側にそれぞれ配置されて対をなし、上方から見て同一の直線上に配置されている。他のスポーク壁１１Ｃ〜１１Ｊも同様である。そのため、例えばスポーク壁が対をなさず、上方から見て同一の直線上に配置されていない場合と比べ、構造強度を高めることができる。
【００２０】
また、本実施形態の原子炉建屋１においては、上述した構造により、耐震性も高めることができる。また、構造強度を高めることにより、防護屋根９及び防護壁８の地上側部分の厚みを増す必要がなくなり、それらの重量を抑えることができる。この観点からも、耐震性を高めることができる。
【００２１】
また、本実施形態の原子炉建屋１においては、スポーク壁１１Ｇ，１１Ｈとプールガーダ６Ａの組み合わせや、スポーク壁１１Ｉ，１１Ｊとプールガーダ６Ｂの組み合わせによって門型構造を形成している。これにより、構造強度を高めるだけでなく、事故時の温度上昇による原子炉格納容器２の熱膨張を抑えることもできる。
【００２２】
なお、上記一実施形態の原子炉建屋１においては、プールガーダ６Ａ，６Ｂの両側端部が防護壁８に接続されており、スポーク壁１１Ｇ，１１Ｈが上方から見てプールガーダ６Ａと重なるように配置され、スポーク壁１１Ｉ，１１Ｊが上方から見てプールガーダ６Ｂと重なるように配置された場合を例にとって説明したが、これに限られず、本発明の趣旨及び技術思想を逸脱しない範囲内で変形が可能である。すなわち、構造強度が若干低下するものの、例えばスポーク壁１１Ｇ，１１Ｈが上方から見てプールガーダ６Ａと重なるように配置されなくてもよいし、スポーク壁１１Ｉ，１１Ｊが上方から見てプールガーダ６Ｂと重なるように配置されなくてもよい。あるいは、プールガーダ６Ａ，６Ｂの両側端部が防護壁８に接続されなくてもよい。
【００２３】
また、上記一実施形態の原子炉建屋１においては、原子炉格納容器２の水平方向一方側及び反対側にそれぞれ配置されて対をなし、上方から見て同一の直線上に配置されたスポーク壁を備えた場合を例にとって説明したが、これに限られず、本発明の趣旨及び技術思想を逸脱しない範囲内で変形が可能である。すなわち、構造強度が若干低下するものの、対をなすことなく、上方から見て同一の直線上に配置されていないスポーク壁を備えてもよい。
【符号の説明】
【００２４】
１                原子炉建屋
２                原子炉格納容器
３                使用済燃料貯蔵プール
４                基礎スラブ
５                トップスラブ
６Ａ，６Ｂ        プールガーダ
８                防護壁
９                防護屋根
１１Ａ〜１１Ｊ    スポーク壁
【図１】
2019138724.tif 000003
【図２】
2019138724.tif 000004
【図３】
2019138724.tif 000005
【図４】
2019138724.tif 000006